(57)【特許請求の範囲】
【請求項１】
演奏情報と歌詞情報とを含む楽曲情報に基づいて楽曲の再生を行う楽曲再生手段と第１撮像手段とを備えたカラオケ装置と、第２撮像手段を備えたカラオケリモコン装置と、前記カラオケ装置および前記カラオケリモコン装置と通信可能なサーバ装置とを、備えるカラオケシステムであって、
前記カラオケ装置を識別するカラオケ識別情報と前記第１撮像手段によって撮影された第１撮像画像情報とを関連付けて記憶するカラオケ装置識別情報記憶手段と、
前記カラオケリモコン装置を識別するカラオケリモコン装置識別情報と前記第２撮像手段によって撮影された第２撮像画像情報とを関連付けて記憶するカラオケリモコン装置識別情報記憶手段と、
前記カラオケ装置識別情報記憶手段に記憶された前記第１撮像画像情報と、前記カラオケリモコン装置識別情報記憶手段に記憶された前記第２撮像画像情報とが一致するか否かを判断する同一利用者判断手段と、
前記同一利用者判断手段による判断結果に基づき、前記カラオケ装置と前記カラオケリモコン装置とを関連付けるか否かを決定する関連付け決定手段と、
を備え、
前記第１撮像手段は、常に起動された状態であり人の顔を判定したら前記第１撮像画像情報の撮影を実行するデジタルカメラである
ことを特徴とするカラオケシステム。
【請求項２】
前記サーバ装置は、前記楽曲再生手段によって楽曲情報が再生されている場合、前記カラオケ装置から前記第１撮像画像情報を受信しない撮像画像情報受信手段を、
備えることを特徴とする請求項１に記載のカラオケシステム。
【請求項３】
前記第１撮像画像情報および前記第２撮像画像情報に顔情報がそれぞれ含まれているかを判定する顔情報判定手段と、
前記顔情報判定手段によって前記第１撮像画像情報および第２撮像画像情報に顔情報がそれぞれ含まれていると判定された場合、前記カラオケ装置から前記第１撮像画像情報および前記カラオケリモコン装置から前記第２撮像画像情報をそれぞれ受信する撮像画像情報受信手段と、
を備えることを特徴とする請求項１又は２に記載のカラオケシステム。
【請求項４】
前記同一利用者判断手段は、前記第１撮像画像情報と前記第２撮像画像情報とに含まれる顔情報が一致するか否かを判断することを特徴とする請求項１から３の何れか１項に記載のカラオケシステム。
【請求項５】
前記カラオケリモコン装置識別情報記憶手段は、前記カラオケリモコン装置に備えられた測位装置が取得した位置情報を記憶するものであり、
前記位置情報に基づき、前記カラオケリモコン装置の位置情報を特定する位置情報特定手段と、
前記位置情報特定手段により特定された位置情報に基づき、前記カラオケ装置識別情報記憶手段に記憶された前記第１撮像画像情報を検索する撮像画像情報検索手段と、
を備えることを特徴とする請求項１から４の何れか１項に記載のカラオケシステム。
【請求項６】
演奏情報と歌詞情報とを含む楽曲情報に基づいて楽曲の再生を行う楽曲再生手段と第１撮像手段とを備えたカラオケ装置および第２撮像手段を備えたカラオケリモコン装置と通信可能なサーバ装置であって、
前記カラオケ装置を識別するカラオケ識別情報と前記第１撮像手段によって撮影された第１撮像画像情報とを関連付けて記憶するカラオケ装置識別情報記憶手段と、
前記カラオケリモコン装置を識別するカラオケリモコン装置識別情報と前記第２撮像手段によって撮影された第２撮像画像情報とを関連付けて記憶するカラオケリモコン装置識別情報記憶手段と、
前記カラオケ装置識別情報記憶手段に記憶された前記第１撮像画像情報と、前記カラオケリモコン装置識別情報記憶手段に記憶された前記第２撮像画像情報とが一致するか否かを判断する同一利用者判断手段と、
前記同一利用者判断手段による判断結果に基づき、前記カラオケ装置と前記カラオケリモコン装置とを関連付けるか否かを決定する関連付け決定手段と、
を備え、
前記第１撮像手段は、常に起動された状態であり人の顔を判定したら前記第１撮像画像情報の撮影を実行するデジタルカメラである
ことを特徴とするサーバ装置。
【発明の詳細な説明】
【技術分野】
【０００１】
本発明は、カラオケ装置とリコモン装置との関連付けを行うカラオケシステムに関し、特に、撮像情報を用いて簡便に関連付けができるカラオケシステムに関する。
【背景技術】
【０００２】
多数の楽曲のうちから選択される所定の楽曲を出力させるカラオケ装置が知られている。斯かるカラオケ装置の遠隔入力装置として、入力操作に対応する信号を無線によりカラオケ装置へ送信するリモコン装置が知られ、このリモコン装置は、カラオケルームに設置されている専用のものやスマートフォンに代表される携帯型情報通信端末装置に各種ソフトウェアを入れてリモコン装置として使用できるものが知られている。
【０００３】
また、最近のカラオケシステムにおいては、カラオケ装置とリモコン装置とをペアリング、つまり関連付けを行う技術を用いてより高度なサービスを提供することが知られおり、このようなカラオケ装置とリモコン装置とを関連付ける技術には、例えば特許文献１のようにＱＲコードを用いるものが知られている。
【先行技術文献】
【特許文献】
【０００４】
【特許文献１】特開２０１４−０７７９２８号公報
【発明の概要】
【発明が解決しようとする課題】
【０００５】
しかし、前記従来の技術のように、カラオケ装置とリモコン装置との関連付けにたとえばＱＲコード（登録商標）などを用いた場合、利用者は複数の動作が必要になる。具体的には、まずＱＲコードをカラオケ装置に表示させる必要があり、さらに表示させたＱＲコードをリモコン装置で撮影するという動作が必要になる。つまり、カラオケ装置とリモコン装置との関連付けを完了させるには利用者が２ステップの動作をする必要があるため、煩雑になるという不便さがあった。
【０００６】
本発明は、以上の事情を背景として為されたものであり、その目的とするところは、カラオケ装置とリモコン装置との関連付けを簡便に行い利用者の負担を軽減することができるカラオケシステムを提供することにある。
【課題を解決するための手段】
【０００７】
第１発明の要旨とするところは、演奏情報と歌詞情報とを含む楽曲情報に基づいて楽曲の再生を行う楽曲再生手段と第１撮像手段とを備えたカラオケ装置と、第２撮像手段を備えたカラオケリモコン装置と、前記カラオケ装置および前記カラオケリモコン装置と通信可能なサーバ装置とを、備えるカラオケシステムであって、前記カラオケ装置を識別するカラオケ識別情報と前記第１撮像手段によって撮影された第１撮像画像情報とを関連付けて記憶するカラオケ装置識別情報記憶手段と、前記カラオケリモコン装置を識別するカラオケリモコン装置識別情報と前記第２撮像手段によって撮影された第２撮像画像情報とを関連付けて記憶するカラオケリモコン装置識別情報記憶手段と、前記カラオケ装置識別情報記憶手段に記憶された前記第１撮像画像情報と前記カラオケリモコン装置識別情報記憶手段に記憶された前記第２撮像画像情報とが一致するか否かを判断する同一利用者判断手段と、前記同一利用者判断手段による判断結果に基づき、前記カラオケ装置と前記カラオケリモコン装置とを関連付けるか否かを決定する関連付け決定手段と、を備え、前記第１撮像手段は、常に起動された状態であり人の顔を判定したら前記第１撮像画像情報の撮影を実行するデジタルカメラであることを特徴とするものである。
【０００８】
第２発明の要旨とするところは、前記サーバ装置は、前記楽曲再生手段によって楽曲情報が再生されている場合、前記カラオケ装置から前記第１撮像画像情報を受信しない撮像画像情報受信手段を、備えることを特徴とするものである。
【０００９】
第３発明の要旨とするところは、前記第１撮像画像情報および前記第２撮像画像情報に顔情報がそれぞれ含まれているかを判定する顔情報判定手段と、前記顔情報判定手段によって前記第１撮像画像情報および前記第２撮像画像情報に顔情報がそれぞれ含まれていると判定された場合、前記カラオケ装置から前記第１撮像画像情報および前記カラオケリモコン装置から前記第２撮像画像情報をそれぞれ受信する撮像画像受信手段と、を備えることを特徴とするものである。
【００１０】
第４発明の要旨とするところは、前記同一利用者判断手段は、前記第１撮像画像情報と前記第２撮像画像情報とに含まれる顔情報が一致するか否かを判断することを特徴とするものである。
【００１１】
第５発明の要旨とするところは、前記カラオケリモコン装置識別情報記憶手段は、前記カラオケリモコン装置に備えられた測位装置が取得した位置情報を記憶するものであり、前記位置情報に基づき、前記カラオケリモコン装置の位置情報を特定する位置情報特定手段と、前記位置情報特定手段により特定された位置情報に基づき、前記カラオケ装置識別情報記憶手段に記憶された前記第１撮像画像情報を検索する撮像画像情報検索手段と、を備えることを特徴とするものである。
【００１２】
第６発明の要旨とするところは、演奏情報と歌詞情報とを含む楽曲情報に基づいて楽曲の再生を行う楽曲再生手段と第１撮像手段とを備えたカラオケ装置および第２撮像手段を備えたカラオケリモコン装置と通信可能なサーバ装置であって、前記カラオケ装置を識別するカラオケ識別情報と前記第１撮像手段によって撮影された第１撮像画像情報とを関連付けて記憶するカラオケ装置識別情報記憶手段と、前記カラオケリモコン装置を識別するカラオケリモコン装置識別情報と前記第２撮像手段によって撮影された第２撮像画像情報とを関連付けて記憶するカラオケリモコン装置識別情報記憶手段と、前記カラオケ装置識別情報記憶手段に記憶された前記第１撮像画像情報と前記カラオケリモコン装置識別情報記憶手段に記憶された前記第２撮像画像情報とが一致するか否かを判断する同一利用者判断手段と、前記同一利用者判断手段による判断結果に基づき、前記カラオケ装置と前記カラオケリモコン装置とを関連付けるか否かを決定する関連付け決定手段と、を備え、前記第１撮像手段は、常に起動された状態であり人の顔を判定したら前記第１撮像画像情報の撮影を実行するデジタルカメラであることを特徴とするものである。
【発明の効果】
【００１３】
第１発明によれば、カラオケ装置の識別情報と第１撮像画像情報とを関連付けて記憶するカラオケ装置情報記憶手段に記憶された第１撮像画像情報と、リモコン装置の識別情報と第２撮像画像情報とを関連付けて記憶するリモコン装置情報記憶手段に記憶された第２撮像画像情報とが一致するか否かを判断して、同一であると判断された場合にカラオケ装置とカラオケリモコン装置との関連付けを行うとともに、前記第１撮像手段は、常に起動された状態であり人の顔を判定したら前記第１撮像画像情報の撮影を実行するデジタルカメラであることから、利用者の動作は、カラオケリモコン装置を用いて自身を撮影する動作のみの１ステップとなり、カラオケ装置とカラオケリモコン装置との関連付けを簡便に行え、利用者の負担を軽減することができる。
【００１４】
第２発明によれば、サーバ装置は、楽曲再生手段によって楽曲情報が再生されている場合、カラオケ装置から第１撮像画像情報を受信しない撮像画像情報受信手段を備えることから、カラオケ装置とカラオケリモコン装置との関連付けを行う際に、関連付けの失敗や誤った関連付けなどの発生を防ぐことができるため、利用者の負担を軽減することができる。
【００１５】
第３発明によれば、サーバ装置は、第１撮像画像情報および第２撮像画像情報に顔情報が含まれているか否かを判定する顔情報判定手段を備え、撮像画像情報受信手段は、顔情報判断手段によって第１撮像画像情報および第２撮像画像情報に顔情報が含まれていると判定された場合に、第１撮像画像情報および第２撮像画像情報を受信する。このため、カラオケ装置とカラオケリモコン装置との関連付けを行う際に、関連付けの失敗や誤った関連付けなどの発生を防ぐことができるため、利用者の負担を軽減することができる。
【００１６】
第４発明によれば、同一利用者判断手段は、第１撮像画像情報と第２撮像画像情報とに含まれる顔情報が一致するか否かを判断することから、カラオケ装置とカラオケリモコン装置との関連付けを簡便に行い、さらに、精度の高い関連付けを行うことができる。このため、関連付けの失敗や誤った関連付けの発生を防ぎ、利用者の負担を軽減することができる。
【００１７】
第５発明によれば、カラオケリモコン装置識別情報記憶手段は、カラオケリモコン装置に備えられた測位装置によって測位された位置情報を記憶するカラオケ装置識別情報記憶手段に記憶された第１撮像画像情報を検索する撮像画像情報検索手段とを備えることから、カラオケ装置とカラオケリモコン装置との関連付けを簡便に行い、さらに精度の高い関連付けを行うことができる。このため、関連付けの失敗や誤った関連付けの発生を防ぎ、利用者の負担を軽減することができる。
【００１８】
第６発明によれば、サーバ装置において、カラオケ装置の識別情報と第１撮像画像情報とを関連付けて記憶するカラオケ装置情報記憶手段に記憶された撮像情報と、カラオケリモコン装置の識別情報と第２撮像画像情報とを関連付けて記憶するカラオケリモコン装置情報記憶手段に記憶された撮像情報とが一致するか判断して、同一であると判断された場合にカラオケ装置とカラオケリモコン装置との関連付けを行うとともに、前記第１撮像手段は、常に起動された状態であり人の顔を判定したら前記第１撮像画像情報の撮影を実行するデジタルカメラであることから、利用者の動作は、カラオケリモコン装置を用いて自身を撮影する動作のみの１ステップとなり、カラオケ装置とカラオケリモコン装置との関連付けを簡便に行え、利用者の負担を軽減することができる。
【図面の簡単な説明】
【００１９】
【図１】本発明が適用されるカラオケシステムの構成の一例を示す図である。
【図２】図１のカラオケシステムに備えられたカラオケ装置の構成を示すブロック線図である。
【図３】図１のカラオケシステムに備えられたカラオケリモコン装置の構成を示すブロック線図である。
【図４】図１のカラオケシステムに備えられたサーバ装置の構成を示すブロック線図である。
【図５】図２のカラオケ装置、図３のカラオケリモコン装置、図４のサーバ装置のそれぞれの制御機能の要部を説明する機能ブロック線図である。
【図６】図２のカラオケ装置のＣＰＵにより実行される本実施例の関連付け制御の一例を示すフローチャートである。
【図７】図３のカラオケリモコン装置のＣＰＵにより実行される本実施例の関連付け制御の一例を示すフローチャートである。
【図８】図４のサーバ装置のＣＰＵにより実行される本実施例の関連付け制御の一例を示すフローチャートである。
【発明を実施するための形態】
【００２０】
以下、本発明の好適な実施例を図面に基づいて詳細に説明する。
【実施例】
【００２１】
図１は、本発明の実施例であるカラオケシステム１０の構成を説明する図である。この図１に示すカラオケシステム１０においては、カラオケボックス、スナック、旅館等の店舗１２における複数の個室１４ａ、１４ｂ、１４ｃ、・・・（以下、特に区別しない場合には単に個室１４という）にそれぞれ１台乃至は複数台ずつ（図１では１台ずつ）のカラオケ装置１６ａ、１６ｂ、１６ｃ、・・・（以下、特に区別しない場合には単にカラオケ装置１６という）が設置されている。これら複数のカラオケ装置１６は、ルータ２２を介して通信回線２０に接続されており、同様にその通信回線２０に接続されたサーバ装置１８等との相互間でその通信回線２０を介して情報の通信が可能とされている。すなわち、本実施例のカラオケシステム１０は、複数のカラオケ装置１６と、サーバ装置１８等とが、通信回線２０を介して相互に通信可能に接続された通信カラオケシステムである。
【００２２】
カラオケシステム１０は、カラオケリモコンプログラムがダウンロードされたスマートフォンなどの携帯型情報通信端末装置など、或いはカラオケ装置専用リモコン装置など複数のカラオケリモコン装置２８ａ、２８ｂ、２８ｃ、・・・（以下、特に区別しない場合には単にリモコン装置２８という）を備えており、カラオケ装置１６の利用に際して、各利用者（グループ）毎に１台乃至数台ずつのリモコン装置２８が貸与され、各個室１４において後述するようにカラオケ装置１６との間で対応付け処理が行われることで、そのカラオケ装置１６の遠隔操作装置としてリモコン装置２８が用いられるようになっている。図１に示すように、店舗１２内には複数のカラオケ装置１６を相互に接続するＬＡＮ２４が敷設されており、リモコン装置２８からのカラオケ装置１６への入力は、所定のアクセスポイント２６及びＬＡＮ２４を介したＬＡＮ通信等により行われる。
【００２３】
通信回線２０は、例えば公衆電話回線、ＡＤＳＬ回線、或いは光ファイバ回線等から構成されるＷＷＷ（World Wide Web）等のインターネットに接続された広域情報通信網である。
【００２４】
サーバ装置１８は、カラオケシステム１０を管理する情報配信サービス提供会社によって運営されるサーバであり、そのカラオケシステム１０における楽曲情報（カラオケデータ）、背景映像情報、曲間情報等のデジタルコンテンツ（Digital Contents）の保管や入出力管理の基本的な制御を行うセンタ装置として機能する。
【００２５】
サーバ装置１８は、カラオケシステム１０を利用する各利用者毎の、カラオケ装置１６を用いたカラオケ演奏に関する情報を、その利用者の識別情報（ユーザＩＤ）と対応付けて記憶するＳＮＳ（Social Network Service）データベース等を管理するデータベースサーバとして機能する。本実施例においては、カラオケシステム１０のセンタ装置としての機能及びデータベースサーバとしての機能を兼ね備えた単一のサーバ装置１８を備えた構成について説明するが、それらセンタ装置及びデータベースサーバが個別のサーバ装置として構成されたものであってもよい。
【００２６】
図２は、カラオケシステム１０に備えられたカラオケ装置１６の構成を例示するブロック線図である。この図２に示すように、カラオケ装置１６は、中央演算処理手段であるＣＰＵ４２と、読出専用メモリであるＲＯＭ４４と、随時書込読出メモリであるＲＡＭ４６と、記憶手段であるハードディスク４８と、グラフィックスチップ（グラフィックスボード）等の映像処理部５０と、サウンドチップ（サウンドボード）等の音声処理部５２と、操作パネル５４と、表示制御部５６及び入力制御部５８を介してＣＰＵ４２に接続されたタッチパネルディスプレイ６０と、ＬＡＮインターフェイス６６と、ビデオ出力端子７０を介して映像処理部５０に接続された映像表示装置であるディスプレイ７２と、オーディオ入力端子７４を介して音声処理部５２に接続された音声入力装置であるマイクロフォン７６と、オーディオ出力端子７８を介して音声処理部５２に接続された音声増幅装置であるアンプ８０と、そのアンプ８０に備えられた音声出力装置であるスピーカ８２と、接続端子８８を介して接続された撮像装置であるデジタルカメラ８６とを、備えて構成されている。
【００２７】
ＣＰＵ４２は、ＲＡＭ４６の一時記憶機能を利用しつつＲＯＭ４４に予め記憶された所定のプログラムに基づいて電子情報を処理・制御する所謂マイクロコンピュータであり、カラオケ装置１６における各種制御を実行する。すなわち、操作パネル５４、タッチパネルディスプレイ６０、或いはリモコン装置２８等により所定の楽曲（カラオケ演奏曲）が選曲入力された場合、その選曲入力された楽曲をＲＡＭ４６等に設けられた予約曲テーブルに登録する選曲予約制御、その予約曲テーブルに登録された楽曲の順番に従ってＨＤＤ（以下、ハードディスクという）４８から選曲入力された楽曲の楽曲情報に含まれる演奏情報及び歌詞情報を読み出し、読み出された楽曲情報をＲＡＭ４６に一時記憶する楽曲情報読出制御、楽曲の演奏進行に応じてそのＲＡＭ４６に一時記憶された楽曲情報に含まれる演奏情報を音声処理部５２へ送信する演奏出力制御、その演奏出力制御に際してＲＡＭ４６に一時記憶された楽曲情報に含まれる歌詞情報に基づいて歌詞文字映像を生成して映像処理部５０へ送信する歌詞文字映像出力制御、演奏出力制御に際して映像処理部５０を制御して所定の背景映像を再生させる背景映像出力制御、及びカラオケ演奏が行われていない間すなわち曲間において、新譜情報、選曲ランキング、店舗広告等の曲間情報を出力させる曲間情報出力制御等の基本的な制御を実行する。
【００２８】
映像処理部５０は、ディスプレイ７２に表示される画像（映像）の描画に係る各種制御を行う。例えば、ＣＰＵ４２から供給されるデータに基づいてグラフィックスメモリにそのデータを書き込み、そのデータを読み出すことによってビデオ出力端子７０を介してディスプレイ７２に所定の画像を表示させる制御を行う。具体的には、カラオケ装置１６による楽曲の演奏出力（カラオケ演奏）に際して、ＣＰＵ４２において生成された歌詞文字映像等の文字映像（テロップ）を出力させたり、ハードディスク４８に記憶されたＭＰＥＧ（Moving Picture Experts Group）データ等の背景映像情報に基づいて所定の背景映像を再生（デコード）させたり、その背景映像の前面側に歌詞文字映像を合成させてディスプレイ７２に表示させたり、その歌詞文字映像を楽曲の演奏進行に応じて順次色替わり表示させる等の各種表示制御を行う。本実施例においては、映像処理部５０によりディスプレイ７２の表示制御を行う一方、後述する表示制御部５６により前記タッチパネルディスプレイ６０（表示装置６２）の表示制御を行う態様について説明するが、映像処理部５０によりタッチパネルディスプレイ６０の表示制御をも行う態様も考えられる。この態様において、表示制御部５６は必ずしも設けられなくともよい。
【００２９】
音声処理部５２は、ＦＭ音源やＰＣＭ音源等の各種音源を備え、カラオケ装置１６による音声出力に係る各種制御を行う。好適には、電子回路により音を合成し、各種音色を発生するシンセサイザ（synthesizer）を備えている。このシンセサイザは、ハードディスク４８から読み出されて送信されるカラオケ演奏曲の演奏情報に基づいて楽器の演奏信号等の音楽信号を生成する。シンセサイザは、好適には、ＭＩＤＩ（Musical Instrument Digital Interface）端子を備えたものであり、演奏情報は、例えばＭＩＤＩ形式のデータである。そのＭＩＤＩデータに基づいてシンセサイザにより生成された音楽信号は、マイクロフォン７６からオーディオ入力端子７４を介して入力される利用者（演奏者）の歌声とミキシングされ、オーディオ出力端子７８を介してアンプ８０に供給されてそのアンプ８０により増幅されてスピーカ８２から出力される。
【００３０】
操作パネル５４は、カラオケ装置１６の利用者が歌いたい楽曲を検索や選択したり、楽曲の演奏出力に係る音程を調整したり、演奏と歌との音量バランスを調整したり、その他、エコー、音量、トーン等の各種調整を行うための画像を表示するタッチパネルディスプレイ６０、操作ボタン（スイッチ）、或いはつまみを備えた入力装置である。タッチパネルディスプレイ６０は、画像（映像）を表示させる利用者の操作に応じてカラオケ装置１６への操作入力を行う装置である。タッチパネルディスプレイ６０は、所定の画像（映像）を表示させる表示装置６２と、利用者の指や図示しない備え付けのペン等による前記タッチパネルディスプレイ６０への接触により入力を受け付けるタッチパネル６４とを、備えている。表示制御部５６は、ＣＰＵ４２から供給される情報に基づいて表示装置６２に表示される画像（映像）の描画を制御する映像処理部である。入力制御部５８は、タッチパネル６４により入力される操作入力情報をＣＰＵ４２等に供給する入力処理部である。以上の構成を備えていることで、タッチパネルディスプレイ６０は、ディスプレイ７２とは別に第２の映像表示装置として機能し、さらにカラオケ装置１６の利用者が歌いたい楽曲を検索や選択したり、楽曲の演奏出力に係る音程を調整したり、演奏と歌との音量バランスを調整したり、その他、エコー、音量、トーン等の各種調整を行うための入力装置として機能する。
【００３１】
ＬＡＮインターフェイス６６は、ＬＡＮ接続端子８４を介してカラオケ装置１６とＬＡＮ２４とを接続するための接続器であり、そのようにＬＡＮ２４に接続されることで、カラオケ装置１６は、同様にＬＡＮ２４に接続されたリモコン装置２８等の他の機器との間で情報の送受信が可能とされる。カラオケ装置１６が設置される店舗等に複数台のカラオケ装置１６が備えられている場合において、同様にＬＡＮ２４に接続されたカラオケ装置１６相互間において情報の送受信が可能とされる。例えば、ＬＡＮ２４に接続されたアクセスポイント２６を介して受信されるリモコン装置２８からの選曲入力を受け付けてＲＡＭ４６に設けられた予約曲テーブルに記憶したり、そのアクセスポイント２６を介してカラオケ装置１６からリモコン装置２８へ所定の情報を送信したりというように、電波を介してカラオケ装置１６とリモコン装置２８との間における相互の情報のやりとりが実行される。
【００３２】
デジタルカメラ８６（第１撮像手段）は、例えばＣＣＤ（charge coupled device）やＣＭＯＳ（Complementary Metal-Oxide Semiconductor）等の撮像素子及びレンズを備え、そのレンズから入射される映像を撮像素子により検知し、その映像を電子情報（撮像画像情報）として取得する所謂デジタルビデオカメラであり、少なくとも動画（時間の経過に従い変化する動きのある映像）を撮影し得るものであるが、必要に応じて静止画（スチル写真）を撮影できるように構成されたものであってもよい。このデジタルカメラ８６により撮影された撮像画像情報は、図示しないビデオ端子等のインターフェイスを介してＣＰＵ４２等へ供給され、ＲＡＭ４６等に記憶される。デジタルカメラ８６は常に起動された状態にして、人の顔を判定したら撮影を実行する設定がされていてもよい。
【００３３】
カラオケ装置１６は、図１に示すように、ＬＡＮ２４及びルータ２２等を介して通信回線２０に接続されており、同様にその通信回線２０に接続された他の機器との相互間でその通信回線２０を介して情報の通信が可能とされている。好適には、通信回線２０を介してサーバ装置１８に接続されており、そのサーバ装置１８から送信された楽曲情報（カラオケデータ）、背景映像情報、及び曲間情報等のデジタルコンテンツ（Digital Contents）を受け付けるものである。
【００３４】
図３は、本発明のリモコン装置の構成を示すブロック線図である。リモコン装置２８は、所定の画像（映像）を表示させると共に、タッチパネルディスプレイ１０２に接触されることで利用者の入力操作を受け付け、受け付けた入力操作に応じて入力を行うためのタッチパネルディスプレイ１０２を備える。リモコン装置２８は、無線ＬＡＮ通信部１２０を備え、その無線ＬＡＮ通信部１２０によりアクセスポイント２６及びＬＡＮ２４を介してカラオケ装置１６に無線接続されるようになっており、タッチパネルディスプレイ１０２における入力操作に応じて、カラオケ装置１６に対して所定の楽曲の選曲入力をはじめとする各種入力操作を行う。リモコン装置２８は、換言すれば、タッチパネルディスプレイ１０２における入力操作に対応する信号をカラオケ装置１６へ送信するカラオケ用遠隔操作装置（リモートコントロール装置）である。
【００３５】
図３に示すように、リモコン装置２８は、タッチパネルディスプレイ１０２に所定の画像を表示させる表示装置１０４と、その表示装置１０４による表示を制御する表示制御部１０６と、利用者の指や図示しない備え付けのペン等によるタッチパネルディスプレイ１０２への接触により入力を行うタッチパネル１０８と、そのタッチパネル１０８による入力を制御する入力制御部１１０と、中央演算処理手段であるＣＰＵ１１２と、読出専用メモリであるＲＯＭ１１４と、随時書込読出メモリであるＲＡＭ１１６と、フラッシュＲＯＭ等の記憶部１１８と、無線ＬＡＮ通信部１２０と、デジタルカメラ１２２とを、備えて構成されている。ＣＰＵ１１２は、リモコン装置２８に備えられたコンピュータに相当する。リモコン装置２８は、好適には、タッチパネルディスプレイ１０２を備え、インターネット上における各種コンテンツを、そのタッチパネルディスプレイ１０２に表示させるウェブブラウザ機能等を備えた所謂タブレット端末である。リモコン装置２８は、好適には、公知のジャイロセンサを備えたものであり、重力方向を基準とするリモコン装置２８の姿勢（方向）に応じて、タッチパネルディスプレイ１０２に表示される画像が９０°ずつ回転（すなわち、縦横回転）させられるように構成されている。
【００３６】
ＣＰＵ１１２は、ＲＡＭ１１６の一時記憶機能を利用しつつＲＯＭ１１４に記憶された情報に基づいて情報処理を実行する所謂マイクロコンピュータであり、表示制御部１０６を介してタッチパネルディスプレイ１０２（表示装置１０４）に所定の画像を表示させたり、その画像に基づくタッチパネルディスプレイ１０２（タッチパネル１０８）への接触により入力制御部１１０を介して入力される入力信号を処理したり、その入力信号に基づき前記無線ＬＡＮ通信部１２０等を介して前記カラオケ装置１６へ選曲入力をはじめとする入力操作に対応する信号の送信を行ったりといった基本的な制御を実行する。
【００３７】
リモコン装置２８は、例えば無線ＬＡＮ通信部１２０等を介してカラオケ装置１６との間で通信を行うことにより、そのカラオケ装置１６に関連付けられる。すなわち、リモコン装置２８が、所定のカラオケ装置１６のカラオケ用遠隔操作装置として関連付けられる。リモコン装置２８は、カラオケ装置１６に関連付けられた後、無線ＬＡＮ通信部１２０等を介してカラオケ装置１６へ入力操作に対応する信号を送信するそのカラオケ装置１６のカラオケ用遠隔操作装置として機能する。すなわち、関連付け処理が行われた後、リモコン装置２８とカラオケ装置１６との間の通信は、ＬＡＮ２４及び前記アクセスポイント２６等を介したＬＡＮ通信により行われる。カラオケ装置１６との間で関連付け処理が行われたリモコン装置２８は、カラオケ装置１６との間で相互に情報の通信を行うことで、そのカラオケ装置１６一部として機能する。
【００３８】
デジタルカメラ１２２（第２撮像手段）は、例えばＣＣＤ（charge coupled device）やＣＭＯＳ（Complementary Metal-Oxide Semiconductor）等の撮像素子及びレンズを備え、そのレンズから入射される映像を撮像素子により検知し、その映像を電子情報（撮像画像情報）として取得する所謂デジタルビデオカメラであり、少なくとも動画（時間の経過に従い変化する動きのある映像）を撮影し得るものであるが、必要に応じて静止画（スチル写真）を撮影できるように構成されたものであってもよい。このデジタルカメラ１２２により撮影された撮像画像情報は、ＣＰＵ１１２等へ供給され、ＲＡＭ１１６等に記憶される。
【００３９】
図４は、カラオケシステム１０に備えられたサーバ装置１８の構成を説明する図である。この図４に示すように、サーバ装置１８は、中央演算処理手段であるＣＰＵ１３０、読出専用メモリであるＲＯＭ１３２、及び随時書込読出メモリであるＲＡＭ１３４を備え、ＣＰＵ１３０によりＲＡＭ１３４の一時記憶機能を利用しつつＲＯＭ１３２に予め記憶されたプログラムに従って信号処理を行う所謂コンピュータである。ＴＦＴやＰＤＰ等の映像表示装置１３６と、その映像表示装置１３６による映像の表示を制御するためのビデオボード（グラフィックスチップ）等の映像処理部１３８と、キーボード等の入力装置１４０と、その入力装置１４０による入力を処理するためのインターフェイス１４２と、ＣＰＵ１３０等を前記通信回線２０に接続するためのモデム１４４とを、備えて構成されている。
【００４０】
図４に示すように、サーバ装置１８は、データベース１４６を図示しないハードディスク内に備える。このデータベース１４６は、カラオケシステム１０におけるカラオケ装置１６等に送信するための複数の楽曲情報（カラオケデータ）を記憶するものであり、新しく作成された楽曲情報はこのデータベース１４６に蓄積される。そして、所定の送信制御プログラムにより定期的に、あるいはカラオケ装置１６等からの送信要求に応じて、随時新たな楽曲情報がサーバ装置１８のデータベース１４６から通信回線２０を介して、カラオケ装置１６等に送信される。
【００４１】
データベース１４６は、カラオケ装置１６により演奏出力可能な楽曲にそれぞれ対応する複数（例えば、数万曲分）の楽曲情報（カラオケデータ）を記憶する。この楽曲情報は、音声処理部５２により所定の楽器の演奏音を生成するための演奏情報と、歌詞文字映像（歌詞テロップ）を生成するための歌詞情報と、その歌詞情報に基づいて生成された歌詞文字映像を演奏の進行に合わせて順次色替わりさせてゆくための歌詞色替情報とを、含むものであり、コンテンツＩＤである各楽曲に固有の選曲番号により識別される。また、楽曲情報には、その楽曲の曲名、アーティスト名（歌手名）、発表年月日、曲の長さ（演奏時間）、ジャンル、曲調、アーティスト（歌手）の出身地、コンサート情報（近い将来その楽曲のコンサートが行われる開催地等に係る情報）、タイアップ情報（例えばその楽曲が主題歌として用いられたドラマの放映された曜日、時間帯、ＣＭソング）等の情報が関連付けられてデータベース１４６に記憶されている。
【００４２】
図５は、カラオケ装置１６のＣＰＵ、サーバ装置１８のＣＰＵ、リモコン装置２８のＣＰＵに備えられた制御機能の要部を説明する機能ブロック線図である。図５で示すように、楽曲再生手段１５０、顔情報判定手段１５２、デジタルカメラ８６、撮像情報制御手段１５４、通信処理制御手段１５６、および関連付け情報記憶手段１５８は、カラオケ装置１６のＣＰＵに機能的に備えられたものである。位置情報制御手段１６２、デジタルカメラ１２２、撮像情報制御手段１６４、通信処理制御手段１６６、および関連付け情報記憶手段１６８は、リモコン装置２８のＣＰＵに機能的に備えられたものである。カラオケ装置識別情報手段１７２、リモコン装置識別情報記憶手段１７４、非通信リモコン装置特定手段１７６、位置情報特定手段１７８、同一利用者判断手段１８０、関連付け決定手段１８２、通信処理制御手段１８４、撮像画像情報検索手段１８６、および撮像画像情報受信手段１８８は、サーバ装置１８のＣＰＵに機能的に備えられたものである。
【００４３】
楽曲再生手段１５０は、楽曲情報読出制御によって読み出された楽曲情報に含まれる演奏情報と歌詞情報とに基づいて楽曲の再生を行う。
【００４４】
顔情報判定手段１５２は、デジタルカメラ８６で撮影された撮像画像情報に顔が含まれているかを判定する制御を行う。具体的には、例えば、顔認識ソフトを用いて人の顔の特徴点となる眉や目や鼻等を抽出することで人の顔を認識し判定する。
【００４５】
撮像情報制御手段１５４は、顔情報判定手段１５２によりデジタルカメラ８６で撮影された撮像画像情報に顔が含まれると判定された場合に、撮影指示の制御をデジタルカメラ８６に行い、そして、デジタルカメラ８６で撮影された撮像画像情報（第１撮像画像情報）を受信する。
【００４６】
通信処理制御手段１５６は、撮像情報制御手段１５４によって撮像画像情報（第１撮像画像情報）を受信した場合に、撮像画像情報（第１撮像画像情報）とカラオケ装置１６のシリアルナンバーとを関連付けてサーバ装置１８に送信する制御を行う。さらに、通信処理制御手段１５６は、後述するサーバ装置１８に設けられた関連付け決定手段１８２により通信が許可されたリモコン装置２８のシリアルナンバーを受信する。
【００４７】
関連付け情報記憶手段１５８は、通信処理制御手段１５６によって受信されたリモコン装置２８のシリアルナンバーを記憶して、そのリモコン装置２８のシリアルナンバーが示すリモコン装置２８とカラオケ装置１６とを通信可能にする処理を行う。
【００４８】
位置情報制御手段１６２は、リモコン装置２８の測位装置、例えばＧＰＳによってリモコン装置２８の位置情報を取得する。
【００４９】
撮像情報制御手段１６４は、カラオケ装置１６とリモコン装置２８とを関連付けるためデジタルカメラ１２２による利用者の撮影指示を受信した場合に、その撮影指示の制御をデジタルカメラ１２２に行い、デジタルカメラ１２２によって撮影された撮像画像（第２撮像画像情報）を受信する。
【００５０】
通信処理制御手段１６６は、撮像情報制御手段１６４にて撮像画像情報（第２撮像画像情報）を受信した場合に、撮像画像情報（第２撮像画像情報）と、位置情報制御手段１６２によって取得された位置情報（ＧＰＳ情報）とリモコン装置２８のシリアルナンバーとを関連付けてサーバ装置１８に送信する制御を行う。さらに、通信処理制御手段１６６は、後述するサーバ装置１８に設けられた関連付け決定手段１８２により通信が許可されたカラオケ装置１６のシリアルナンバーを受信する。
【００５１】
関連付け情報記憶手段１６８は、通信処理制御手段１６６によって受信されたカラオケ装置１６のシリアルナンバーを記憶して、そのカラオケ装置１６のシリアルナンバーが示すカラオケ装置１６とリモコン装置２８とを通信可能にする処理を行う。
【００５２】
カラオケ装置識別情報記憶手段１７２は、撮像画像情報受信手段１８８から送信された撮像画像情報（第１撮像画像情報）とカラオケ装置１６のシリアルナンバーとを受信した場合に、その撮像画像情報（第１撮像画像情報）とカラオケ装置１６のカラオケ装置シリアルナンバーとを関連付けて記憶する。
【００５３】
リモコン装置識別情報記憶手段１７４は、撮像画像情報受信手段１８８から送信された撮像画像情報（第２撮像画像情報）とリモコン装置２８のシリアルナンバーと位置情報（ＧＰＳ情報）とを受信した場合に、撮像画像情報（第２撮像画像情報）とリモコン装置２８のリモコン装置シリアルナンバーと位置情報（ＧＰＳ情報）とを関連付けて記憶する。
【００５４】
非通信リモコン装置特定手段１７６は、カラオケ装置１６と通信していないリモコン装置２８を特定する処理を行う。具体的には、後述する関連付け決定手段１８２に備えるＲＡＭに記憶されていないリモコン装置２８のシリアルナンバーを関連付けたリモコン装置２８をリモコン装置識別情報記憶手段１７４から抽出する。
【００５５】
位置情報特定手段１７８は、非通信リモコン装置特定手段１７６によって特定されたリモコン装置２８について、リモコン装置識別情報記憶手段１７４に記憶された撮像画像情報（第２撮像画像情報）とリモコン装置２８のシリアルナンバーと位置情報（ＧＰＳ情報）とに基づき、リモコン装置２８を利用している店舗（エリア）を特定する。
【００５６】
同一利用者判断手段１８０は、位置情報（ＧＰＳ情報）に関連付けられた撮像画像情報（第２撮像画像情報）と、カラオケ装置１６のシリアルナンバーに関連付けられた撮像画像情報（第１撮像画像情報）とが一致するか否かを判断する。例えば、撮像画像情報に含まれる眉や目や鼻等の特徴点を複数抽出して比較することで、それぞれの撮像画像情報が一致するか否かを判断する。また、同一利用者判断手段１８０は、後述する撮像画像情報検索手段１８６によって抽出されるカラオケ装置１６のシリアルナンバーに関連付けられた撮像画像情報（第１撮像画像情報）と、位置情報（ＧＰＳ情報）に関連付けられた撮像画像情報（第２撮像画像情報）とが一致するか否かを判断するものであってもよい。
【００５７】
関連付け決定手段１８２は、同一利用者判断手段１８０によって撮像画像情報（第２撮像画像情報）と撮像画像情報（第１撮像画像情報）とが一致すると判断された場合に、カラオケ装置１６とリモコン装置２８とを関連付けて記憶する。具体的には、撮像画像情報（第１撮像画像情報）に関連付けられたカラオケ装置１６のシリアルナンバーと、撮像画像情報（第２撮像画像情報）に関連付けられたリモコン装置２８のシリアルナンバーとを関連付けて関連付け決定手段１８２に備えるＲＡＭに記憶し、カラオケ装置１６とリモコン装置２８との相互の通信を許可する処理を行う。
【００５８】
通信処理制御手段１８４は、関連付け決定手段１８２によって関連付けられたカラオケ装置１６のシリアルナンバーをリモコン装置２８に送信すると共に、関連付け決定手段１８２で関連付けられたリモコン装置２８のシリアルナンバーをカラオケ装置１６に送信する。
【００５９】
撮像画像情報検索手段１８６は、位置情報特定手段１７８で特定されたリモコン装置２８を利用している店舗（エリア）情報に基づいて、カラオケ装置識別情報記憶手段１７２に記憶された撮像画像情報（第１撮像画像情報）を検索し、抽出する。具体的には、カラオケ装置識別情報記憶手段１７２に記憶されたカラオケ装置１６のシリアルナンバーに基づいて、当該カラオケ装置１６のシリアルナンバーのカラオケ装置１６が設置されている場所情報を他のサーバ装置１８から取得し、取得された場所とカラオケ装置１６のシリアルナンバーとを関連付けてカラオケ装置識別情報記憶手段１７２に記憶される。位置情報特定手段１７８で特定されたリモコン装置２８を利用している店舗（エリア）情報と、カラオケ装置識別情報記憶手段１７２に記憶された場所情報とから該当するカラオケ装置１６のシリアルナンバーを検索し、カラオケ装置１６のシリアルナンバーに関連付けられた撮像画像情報（第１撮像画像情報）を抽出する。
【００６０】
撮像画像情報受信手段１８８は、カラオケ装置１６の通信処理手段１５６から送信された撮像画像情報（第１撮像画像情報）とカラオケ装置１６のシリアルナンバーと、リモコン装置２８の通信処理手段１６６から送信された撮像画像情報（第２撮像画像情報）と、位置情報（ＧＰＳ情報）と、リモコン装置２８のシリアルナンバーとを受信する。撮像画像情報受信手段１８８は、受信した撮像画像情報（第１撮像画像情報）とカラオケ装置１６のシリアルナンバーをカラオケ装置識別情報記憶手段１７２に送信する。撮像画像情報受信手段１８８は、受信した撮像画像情報（第２撮像画像情報）と、位置情報（ＧＰＳ情報）と、リモコン装置２８のシリアルナンバーとをリモコン装置識別情報記憶手段１７４に送信する。
【００６１】
撮像画像情報受信手段１８８は、楽曲再生手段１５０によって楽曲情報が演奏出力されている場合には、カラオケ装置１６から撮像画像情報（第１撮像画像情報）を受信しない制御を行う。また、撮像画像情報受信手段１８８は、カラオケ装置１６に設けられた顔情報判定手段１５２によってデジタルカメラ８６で撮影された撮像画像情報（第１撮像画像情報）に顔情報が含まれると判断された場合にはカラオケ装置１６から撮像画像情報（第１撮像画像情報）を受信する制御を行う。
【００６２】
図６は、カラオケ装置１６のＣＰＵにより実行される本実施例の関連付け制御の一例を示すフローチャートであり、繰り返し実行される。
【００６３】
ステップ（以下、ステップを省略する）Ｓ１において、顔情報判断手段１５２の機能に対応するＳ１が実行される。常に起動しているカラオケ装置１６に設けられたデジタルカメラ８６で撮影した撮像画像情報に人の顔が含まれるかが判断される。Ｓ１の判定が否定される場合は、この判定が肯定されるまで繰り返し実行されるが、肯定される場合は、撮像情報制御手段１５４の機能に対応するＳ２が実行される。Ｓ２では、Ｓ１において人の顔が含まれると判定された撮像画像情報に基づき、デジタルカメラ８６に撮影指示がされる。
【００６４】
Ｓ３において、Ｓ２において撮影指示されたデジタルカメラ８６から撮影され撮像画像情報を受信したか否かが判定される。具体的には、デジタルカメラ８６によって撮影された撮像画像情報（第１撮像画像情報）を撮像情報制御手段１５４が受信したか否かが判断される。Ｓ３の判定が否定される場合は、この判定が肯定されるまで繰り返し実行されるが、肯定される場合は、通信処理制御手段１５６の機能に対応するＳ４が実行される。
【００６５】
Ｓ４において、撮影された撮像画像情報とカラオケ装置１６のシリアルナンバーとが関連付けられサーバ装置１８に送信される。具体的には、撮影された撮像画像情報（第１撮像画像情報）とカラオケ装置１６のシリアルナンバーとが関連付けられ、関連付けられた撮像画像情報とカラオケ装置１６のシリアルナンバーとを通信処理制御手段１５６からサーバ装置１８に送信される。
【００６６】
Ｓ５において、リモコン装置２８のシリアルナンバーとその通信許可信号を受信したか否かが判定される。具体的には、サーバ装置１８に通信処理制御手段１８４より送信される通信が許可されたリモコン装置２８のシリアルナンバーとその通信許可信号を通信処理制御手段１５６が受信したか否かが判断される。Ｓ５の判定が否定される場合は、Ｓ１以下が繰り返し実行されるが、肯定される場合は、関連付け情報記憶手段１５８の機能に対応するＳ６が実行される。Ｓ６では、通信処理制御手段１５６が受信したリモコン装置２８のシリアルナンバーを関連付け情報記憶手段１５８に記憶して通信可能にする処理が行われ、本ルーチンは終了する。
【００６７】
図７は、リモコン装置２８のＣＰＵにより実行される本実施例の関連付け制御の一例を示すフローチャートであり、繰り返し実行される。
【００６８】
Ｓ１１において、カラオケ装置１６とリモコン装置２８とを関連付けることを目的とした利用者によってデジタルカメラ１２２の撮影指示があったか否かが判定される。Ｓ１１の判定が否定される場合は、この判定が肯定されるまで繰り返し実行されるが、肯定される場合は、撮像情報制御手段１６４の機能に対応するＳ１２が実行される。Ｓ１２では、デジタルカメラ１２２に撮影を指示する。
【００６９】
Ｓ１３において、Ｓ１２において撮影を指示されたデジタルカメラ１２２から撮影された撮像画像情報（第２撮像画像情報）を撮像情報制御手段１６４が受信したか否かが判定される。Ｓ１３の判定が否定される場合は、この判定が肯定されるまで繰り返し実行されるが、肯定される場合は、通信処理制御手段１６６の機能に対応するＳ１４が実行される。
【００７０】
Ｓ１４において、撮影された撮像画像情報とリモコン装置２８のシリアルナンバーと位置情報（ＧＰＳ情報）とがサーバ装置１８に送信される。具体的には、撮影された撮像画像情報（第２撮像画像情報）とリモコン装置２８のシリアルナンバーと位置情報（ＧＰＳ情報）とが関連付けられ、関連付けられた撮像画像情報とリモコン装置２８のシリアルナンバーと位置情報とを通信処理制御手段１６６からサーバ装置１８に送信する。
【００７１】
Ｓ１５において、カラオケ装置１６のシリアルナンバーとその通信許可信号を受信したか否かが判定される。具体的には、サーバ装置１８に通信処理制御手段１８４より送信される通信が許可されたカラオケ装置１６のシリアルナンバーとその通信許可信号とを通信処理制御手段１６６が受信したか否かが判定される。Ｓ１５の判定が否定される場合は、Ｓ１１以下が繰り返し実行されるが、肯定される場合は、関連付け情報記憶手段１６８の機能に対応するＳ１６が実行される。Ｓ１６では、通信処理制御手段１６６で受信したカラオケ装置１６のシリアルナンバーを関連付け記憶手段１６８に記憶して通信可能にする処理が行われ、本ルーチンは終了する。
【００７２】
図８は、サーバ装置１８のＣＰＵにより実行される本実施例の関連付け制御の一例を示すフローチャートであり、繰り返し実行される。
【００７３】
Ｓ２１において、撮像画像情報（第１撮像画像情報）とカラオケ装置１６のシリアルナンバーとを受信したか否かが判定される。具体的には、カラオケ装置１６の通信処理手段１５６から送信される撮像画像情報（第１撮像画像情報）とカラオケ装置１６のシリアルナンバーとを撮像画像情報受信手段１８８が受信したか否かが判定される。Ｓ２１の判定が否定される場合は、Ｓ２３が実行される。Ｓ２１の判定が肯定される場合は、カラオケ装置識別情報記憶手段１７２の機能に対応するＳ２２が実行される。Ｓ２２では、撮像画像情報（第１撮像画像情報）とカラオケ装置１６のシリアルナンバーとが関連付けて記憶される。具体的には、撮像画像情報受信手段１８８から送信される撮像画像情報（第１撮像画像情報）とカラオケ装置１６のシリアルナンバーとが関連付けてカラオケ装置識別情報記憶手段１７２に記憶される。
【００７４】
Ｓ２３において、撮像画像情報（第２撮像画像情報）とリモコン装置２８のシリアルナンバーと位置情報（ＧＰＳ情報）とを受信したか否かが判定される。具体的には、リモコン装置２８の通信処理制御手段１６６から送信される撮像画像情報（第２撮像画像情報）とリモコン装置２８のシリアルナンバーと位置情報（ＧＰＳ情報）とを撮像画像情報受信手段１８８が受信したか否かが判定される。Ｓ２３の判定が否定される場合は、Ｓ２５が実行される。Ｓ２３の判定が肯定される場合は、リモコン装置識別情報記憶手段１７４の機能に対応するＳ２４が実行される。Ｓ２４では、撮像画像情報（第２撮像画像情報）とリモコン装置２８のシルアルナンバーと位置情報（ＧＰＳ情報）とが関連付けて記憶される。具体的には、撮像画像情報受信手段から送信される撮像画像情報（第２撮像画像情報）とリモコン装置２８のシリアルナンバーと位置情報（ＧＰＳ情報）とが関連付けてリモコン装置識別情報記憶手段１７４に記憶される。
【００７５】
Ｓ２５において、カラオケ装置１６と通信していないリモコン装置２８があるか否かが判定される。具体的には、関連付け決定手段１８２に備えるＲＡＭに記憶されていないリモコン装置２８のシリアルナンバーがリモコン装置識別情報記憶手段１７４にあるか否かが判定される。Ｓ２５の判定が否定される場合は、Ｓ２１以下が繰り返し実行されるが、肯定される場合は、非通信リモコン装置特定手段１７６の機能に対応するＳ２６が実行される。Ｓ２６では、カラオケ装置１６と通信していないリモコン装置２８が特定される。具体的には、関連付け決定手段１８２に備えるＲＡＭに記憶されていないリモコン装置２８のシリアルナンバーがリモコン装置識別情報記憶手段から抽出される。
【００７６】
位置情報特定手段１７８の機能に対応するＳ２７が実行される。Ｓ２７では、Ｓ２６において特定されたリモコン装置２８のシリアルナンバーに関連付けられている位置情報（ＧＰＳ情報）を特定する。具体的には、リモコン装置識別情報記憶手段１７４からＳ２６において抽出されたリモコン装置２８のシリアルナンバーに関連付けられている位置情報（ＧＰＳ情報）に基づいてエリアを特定する。また、位置情報（ＧＰＳ情報）から店舗（エリア）が特定されてもよい。
【００７７】
Ｓ２８において、Ｓ２７において特定された店舗（エリア）のカラオケ装置１６のシリアルナンバーが記憶されているか否かが判定される。具体的には、カラオケ装置識別情報記憶手段１７２に記憶されたカラオケ装置１６のシリアルナンバーに基づいて、当該カラオケ装置１６のシリアルナンバーのカラオケ装置１６が設置されている場所情報を、他のサーバ装置１８から取得し、取得された場所情報とカラオケ装置１６のシリアルナンバーとを関連付けてカラオケ装置識別情報記憶手段１７２に記憶される。位置情報特定手段１７８で特定されたリモコン装置２８を利用している店舗（エリア）情報と、カラオケ装置識別情報記憶手段１７２に記憶された場所情報とから該当するカラオケ装置１６のシリアルナンバーがあるか否かが判定される。Ｓ２８の判定が否定される場合は、Ｓ２１以下が繰り返し実行されるが、肯定される場合は、撮像画像情報検索手段１８６の機能に対応するＳ２９が実行される。Ｓ２９では、特定された店舗（エリア）のカラオケ装置１６のシリアルナンバーの撮像画像情報（第１撮像画像情報）がカラオケ装置識別情報記憶手段１７２から検索される。
【００７８】
Ｓ３０において、カラオケ装置識別情報記憶手段１７２に記憶されているカラオケ装置１６のシリアルナンバーに関連付けされた撮像画像情報（第１撮像画像情報）と、リモコン装置識別情報記憶手段１７４に記憶されているリモコン装置２８の位置情報（ＧＰＳ情報）に関連付けされた撮像画像情報（第２撮像画像情報）とを比較して同一画像であるか否かが判定される。具体的にはそれぞれの撮像画像情報に含まれる人物が同一人物であるか否かが判断される。Ｓ３０の判定が否定される場合は、Ｓ２１以下が繰り返し実行されるが、肯定される場合は、関連付け決定手段１８２の機能に対応するＳ３１が実行される。Ｓ３１では、カラオケ装置１６のシリアルナンバーとリモコン装置２８のシリアルナンバーとを関連付けて相互の通信を許可する処理が実行される。
【００７９】
Ｓ３２において、カラオケ装置１６にリモコン装置２８との通信許可の信号が送信されると共に、リモコン装置２８にカラオケ装置１６との通信許可の信号が送信される。具体的には、リモコン装置２８のシリアルナンバーと通信許可の信号とをカラオケ装置１６に送信する処理が実行されると共に、リモコン装置２８にカラオケ装置１６のシリアルナンバーと通信許可の信号とを送信する処理が実行されて、本ルーチンは終了する。
【００８０】
本実施例によれば、カラオケ装置１６のシリアルナンバーとデジタルカメラ８６によって撮影された撮像画像情報（第１撮像画像情報）とを関連付けて記憶するカラオケ装置識別情報記憶手段１７２に記憶された撮像画像情報（第１撮像画像情報）と、リモコン装置２８のシリアルナンバーと位置情報（ＧＰＳ情報）とデジタルカメラ１２２によって撮影された撮像画像情報（第２撮像画像情報）とを関連付けて記憶するリモコン装置識別情報記憶手段１７４に記憶された撮像画像情報（第２撮像画像情報）とが一致するか否かを判断して、撮像画像情報が同一であると判断された場合にカラオケ装置１６とリモコン装置２８との関連付けを行うことから、利用者の動作は、リモコン装置２８を用いて自身を撮影する動作のみの１ステップとなり、カラオケ装置１６とリモコン装置２８との関連付けを簡便に行え、利用者の負担を軽減することができる。
【００８１】
また、本実施例においては、サーバ装置１８は、楽曲再生手段１５０によって楽曲情報が再生されている場合、カラオケ装置１６から撮像画像情報（第１撮像画像情報）を受信しない撮像画像情報受信手段１８８を備えることから、カラオケ装置１６とリモコン装置２８との関連付けを行う際に、関連付けの失敗や誤った関連付けなどの発生を防ぐことができるため、利用者の負担を軽減することができる。
【００８２】
また、本実施例においては、サーバ装置１８は、顔情報を判定する顔情報判定手段１５２によって撮像画像情報（第１撮像画像情報）に顔情報が含まれていると判断された場合に、カラオケ装置１６から撮像画像情報（第１撮像画像情報）を受信する撮像画像情報受信手段１８８を備えていることから、カラオケ装置１６とリモコン装置２８との関連付けを行う際に、関連付けの失敗や誤った関連付けなどの発生を防ぐことができるため、利用者の負担を軽減することができる。
【００８３】
また、本実施例においては、位置情報（ＧＰＳ情報）に関連付けられている撮像画像情報（第２撮像画像情報）と、カラオケ装置１６のシリアルナンバーに関連付けられている撮像画像情報（第１撮像画像情報）との、それぞれの撮像画像情報に含まれる顔情報を比較して一致しているか否かを判断することから、カラオケ装置１６とリモコン装置２８との関連付けを簡便に行い、さらに精度の高い関連付けを行うことができる。このため、関連付けの失敗や誤った関連付けによる二度手間の発生を防ぎ、利用者の負担を軽減することができる。
【００８４】
また、本実施例においては、リモコン装置２８のシリアルナンバーに関連付けられた位置情報（ＧＰＳ情報）に基づき、リモコン装置２８の位置情報を特定する位置情報特定手段１７８と、位置情報特定手段１７８により特定された位置情報に基づき、カラオケ装置識別情報記憶手段１７２に記憶されている撮像画像情報（第１撮像画像情報）を検索する撮像画像情報検索手段１８６とを備えることから、カラオケ装置１６とリモコン装置２８との関連付けを簡便に行い、さらに精度の高い関連付けを行うことができる。このため、関連付けの失敗や誤った関連付けによる二度手間の発生を防ぎ、利用者の負担を軽減することができる。
【００８５】
また、本実施例においては、サーバ装置１８にて、カラオケ装置１６のシリアルナンバーと撮像画像情報（第１撮像画像情報）とを関連付けて記憶するカラオケ装置識別情報記憶手段１７２に記憶された撮像画像情報と、リモコン装置２８のシリアルナンバーと位置情報（ＧＰＳ情報）と撮像画像情報（第２撮像画像情報）とを関連付けて記憶するリモコン装置識別情報記憶手段１７４に記憶された撮像画像情報とが一致するか否かを判断して、撮像画像情報が同一であると判断された場合にカラオケ装置１６とリモコン装置２８との関連付けを行うことから、利用者の動作は、リモコン装置２８を用いて自身を撮影する動作のみの１ステップとなり、カラオケ装置１６とリモコン装置２８との関連付けを簡便に行え、利用者の負担を軽減することができる。
【００８６】
以上、本発明の好適な実施例を図面に基づいて詳細に説明したが、本発明はこれらの実施例に限定されるものではなく、更に別の態様においても実施される。
【００８７】
例えば、前述の実施例においては、カラオケ装置識別情報記憶手段１７２、リモコン装置識別情報記憶手段１７４、同一利用者判断手段１８０、関連付け決定手段１８２はサーバ装置１８に設けられているが、必ずしもサーバ装置１８に設けられている必要はなく、全部又は一部がその他の装置に設けられてもよい。例えば、カラオケ装置１６やリモコン装置２８に設けられてもよい。
【００８８】
また、前述の実施例においては、撮像画像情報受信手段１８８はサーバ装置１８に設けられているが、必ずしもサーバ装置１８に設けられている必要はなく、例えばカラオケ装置１６やリモコン装置２８に設けられてもよい。
【００８９】
また、前述の実施例においては、顔情報判定手段１５２はカラオケ装置１６に設けられているが、必ずしもカラオケ装置１６に設けられている必要はなく、例えばサーバ装置１８やリモコン装置２８に設けられてもよい。また、カラオケ装置１６内の顔情報判定手段１５２は、デジタルカメラ８６によって撮影された撮像画像情報に顔情報が含まれているか否かを判定し、サーバ装置１８内やリモコン装置２８内に設けた顔情報判定手段がデジタルカメラ１２２によって撮影された撮像画像情報に顔情報が含まれているか否かを判定してもよい。
【００９０】
また、前述の実施例においては、位置情報特定手段１７８、撮像画像情報検索手段１８６はサーバ装置１８に設けられているが、必ずしもサーバ装置１８に設けられている必要はなく、全部又は一部が、例えばカラオケ装置１６やリモコン装置２８に設けられてもよい。
【００９１】
また、前述の実施例においては、楽曲再生手段１５０によって楽曲情報が再生されている場合に、カラオケ装置１６からデジタルカメラ８６によって撮影された撮像画像（第１撮像画像情報）を受信しない撮像画像情報受信手段１８８がサーバ装置１８に設けられているが、楽曲再生手段１５０によって楽曲情報が再生されている場合に、カラオケ装置１６からサーバ装置１８に撮像画像情報を送信しない、例えば、撮像画像情報送信手段がカラオケ装置１６に設けられてもよい。
【００９２】
また、前述の実施例においては、撮像画像情報受信手段はサーバ装置１８に設けられているが、必ずしも個別に設けられる必要はなく、例えば、通信処理制御手段１８４を介して受信された撮像画像情報（第１撮像画像情報）等はデータベース１４６に直接記憶されるものであってもよい。
【００９３】
その他、一々例示はしないが、本発明はその趣旨を逸脱しない範囲内において種々の変更が加えられて実施されるものである。
【符号の説明】
【００９４】
１６：カラオケ装置
１８：サーバ装置
２８：カラオケリモコン装置
８６：デジタルカメラ（第１撮像手段）
１２２：デジタルカメラ（第２撮像手段）
１５０：楽曲再生手段
１７２：カラオケ装置識別情報記憶手段
１７４：カラオケリモコン装置識別情報記憶手段
１８０：同一利用者判断手段
１８２：関連付け決定手段
【図１】
0006577811.tif 000002
【図２】
0006577811.tif 000003
【図３】
0006577811.tif 000004
【図４】
0006577811.tif 000005
【図５】
0006577811.tif 000006
【図６】
0006577811.tif 000007
【図７】
0006577811.tif 000008
【図８】
0006577811.tif 000009